(57)【要約】      （修正有）【課題】ＬＥＤの過負荷保護を実現し、ＬＥＤの使用寿命を有効に延長できる過負荷保護機能付きＬＥＤ回路を提供する。【解決手段】入力回路１０と、定電圧・定電流モジュール２０と、ＬＥＤ負荷３０と、過負荷信号検出モジュール４０と、警報指示灯モジュール５０とを備え、入力回路を定電圧・定電流モジュールを介してＬＥＤ負荷に接続し、過負荷信号検出モジュールをＬＥＤ負荷の入力端に接続し、過負荷信号検出モジュールを定電圧・定電流モジュールに接続し、警報指示灯モジュールを過負荷信号検出モジュールに接続し、過負荷信号検出モジュールが検出情報に基づき、定電圧・定電流モジュールの回路の通断を制御することによって、ＬＥＤ負荷のオンまたはオフを制御する。【選択図】図１
0003226486.tif 000002
【実用新案登録請求の範囲】
【請求項１】
入力回路と、定電圧・定電流モジュールと、ＬＥＤ負荷と、過負荷信号検出モジュールと、警報指示灯モジュールとを備え、前記入力回路を前記定電圧・定電流モジュールを介して前記ＬＥＤ負荷に接続し、前記過負荷信号検出モジュールを前記ＬＥＤ負荷の入力端に接続し、前記過負荷信号検出モジュールを前記定電圧・定電流モジュールに接続し、前記警報指示灯モジュールを前記過負荷信号検出モジュールに接続し、前記過負荷信号検出モジュールが検出情報に基づき、前記定電圧・定電流モジュールの回路の通断を制御することによって、前記ＬＥＤ負荷のオンまたはオフを制御することを特徴とする過負荷保護機能付きＬＥＤ回路。
【請求項２】
前記過負荷信号検出モジュールは、ＭＣＵと、光カプラとを含み、前記ＭＣＵの一ピンを前記ＬＥＤ負荷の入力端の活線に接続し、前記光カプラの入力端部分が発光素子であり、前記光カプラの出力端部分が感光素子であり、前記光カプラの入力端を前記ＭＣＵの一出力ピンに接続し、前記光カプラの出力端を前記定電圧・定電流モジュールに接続することを特徴とする請求項１記載の過負荷保護機能付きＬＥＤ回路。
【請求項３】
前記定電圧・定電流モジュールは、制御チップＵ２を含み、前記光カプラの出力端を前記制御チップＵ２に接続することを特徴とする請求項２記載の過負荷保護機能付きＬＥＤ回路。
【考案の詳細な説明】
【技術分野】
【０００１】
本考案は照明装置の構造に関するものであり、さらに詳しくは、過負荷保護機能付きＬＥＤ回路に関するものである。
【背景技術】
【０００２】
ＬＥＤの電気供給回路について、何らかの保護措置を講じなければ、電圧の上昇に伴って電流の増大をもたらしてしまい、この増大電流が一定時間と幅を超えると、ＬＥＤが損傷するおそれがあるという問題が指摘されている。
【０００３】
市販されている一部のＬＥＤ灯またはＬＥＤスクリーンが長時間の使用を経た場合、そのうちの単個のＬＥＤ灯または一枚のＬＥＤスクリーンが点灯できなくなる現象が必ず生じている。その主な原因は、ＬＥＤ灯に長期間にわたって定格値を超えた電流を流すことによって、過度の発熱により寿命を縮減し、焼損されてしまうことにある。
【考案の概要】
【考案が解決しようとする課題】
【０００４】
従って、本考案の課題は、前記の通りの一部のＬＥＤおよびＬＥＤスクリーンが長時間の使用により点灯できなくなるという状況を解決することにある。
【課題を解決するための手段】
【０００５】
そこで、本考案者は、前記の通りの本考案の課題を解決するため鋭意検討を重ねた結果、後述のように、過負荷保護機能付きＬＥＤ回路が前記課題を解決できることに着目し、かかる知見に基いて本考案に想到するに至った。
すなわち、本考案に係る過負荷保護機能付きＬＥＤ回路は、入力回路と、定電圧・定電流モジュールと、ＬＥＤ負荷と、過負荷信号検出モジュールと、警報指示灯モジュールとを備え、入力回路を定電圧・定電流モジュールを介してＬＥＤ負荷に接続し、過負荷信号検出モジュールをＬＥＤ負荷の入力端に接続し、過負荷信号検出モジュールを定電圧・定電流モジュールに接続し、警報指示灯モジュールを過負荷信号検出モジュールに接続し、過負荷信号検出モジュールが検出情報に基づき、定電圧・定電流モジュールの回路の通断を制御することによって、ＬＥＤ負荷のオンまたはオフを制御する。
【０００６】
さらに、過負荷信号検出モジュールは、ＭＣＵと、光カプラとを含み、ＭＣＵの一ピンをＬＥＤ負荷の入力端の活線に接続し、光カプラの入力端部分が発光素子であり、光カプラの出力端部分が感光素子であり、光カプラの入力端をＭＣＵの一出力ピンに接続し、光カプラの出力端を定電圧・定電流モジュールに接続する。
【０００７】
定電圧・定電流モジュールは、制御チップＵ２を含み、光カプラの出力端を制御チップＵ２に接続する。
【０００８】
かくして、本考案の要旨は、次の（１）〜（３）に記載の通りのものである。
（１）入力回路と、定電圧・定電流モジュールと、ＬＥＤ負荷と、過負荷信号検出モジュールと、警報指示灯モジュールとを備え、前記入力回路を前記定電圧・定電流モジュールを介して前記ＬＥＤ負荷に接続し、前記過負荷信号検出モジュールを前記ＬＥＤ負荷の入力端に接続し、前記過負荷信号検出モジュールを前記定電圧・定電流モジュールに接続し、前記警報指示灯モジュールを前記過負荷信号検出モジュールに接続し、前記過負荷信号検出モジュールが検出情報に基づき、前記定電圧・定電流モジュールの回路の通断を制御することによって、前記ＬＥＤ負荷のオンまたはオフを制御することを特徴とする過負荷保護機能付きＬＥＤ回路。
（２）前記過負荷信号検出モジュールは、ＭＣＵと、光カプラとを含み、前記ＭＣＵの一ピンを前記ＬＥＤ負荷の入力端の活線に接続し、前記光カプラの入力端部分が発光素子であり、前記光カプラの出力端部分が感光素子であり、前記光カプラの入力端を前記ＭＣＵの一出力ピンに接続し、前記光カプラの出力端を前記定電圧・定電流モジュールに接続することを特徴とする（１）記載の過負荷保護機能付きＬＥＤ回路。
（３）前記定電圧・定電流モジュールは、制御チップＵ２を含み、前記光カプラの出力端を前記制御チップＵ２に接続することを特徴とする（２）記載の過負荷保護機能付きＬＥＤ回路。
【考案の効果】
【０００９】
本考案の有益な効果は、過負荷信号検出モジュールの設置によって、ＬＥＤ負荷を検出し、ＬＥＤ負荷の入力端の電圧情報を収集し、ＭＣＵが過負荷信号検出モジュールの検出情報に基づき、定電圧・定電流モジュールと、警報指示灯モジュールとを動作させるように制御することで、ＬＥＤの過負荷保護を実現し、ＬＥＤの使用寿命を有効に延長できることである、実用性に強く、普及化により大きい意義を有する。
【図面の簡単な説明】
【００１０】
【図１】本考案の一実施形態に係る過負荷保護機能付きＬＥＤ回路の各モジュール間の接続態様図である。
【図２】図１に示す過負荷保護機能付きＬＥＤ回路の過負荷信号検出モジュール及び警報指示灯モジュールの他のモジュールとの接続時の態様図である。
【考案を実施するための形態】
【００１１】
図１と図２のように、本考案の過負荷保護機能付きＬＥＤ回路は、ＬＥＤに対して駆動照明及び過負荷保護のために用いられ、入力回路１０と、定電圧・定電流モジュール２０と、ＬＥＤ負荷３０と、過負荷信号検出モジュール４０と、警報指示灯モジュール５０とを備え、入力回路１０を定電圧・定電流モジュール２０を介してＬＥＤ負荷３０に接続し、過負荷信号検出モジュール４０をＬＥＤ負荷３０の入力端に接続し、過負荷信号検出モジュール４０をまた定電圧・定電流モジュール２０に接続し、警報指示灯モジュール５０を過負荷信号検出モジュール４０に接続し、過負荷信号検出モジュール４０が検出情報に基づき、定電圧・定電流モジュール２０の回路の通断を制御することによって、ＬＥＤ負荷３０のオンまたはオフを制御する。
【００１２】
過負荷信号検出モジュール４０は、ＭＣＵ４１と、光カプラ４２とを含み、ＭＣＵ４１の一ピンをＬＥＤ負荷３０の入力端の活線に接続し、光カプラ４２の入力端部分が発光素子であり、光カプラ４２の出力端部分が感光素子であり、光カプラ４２の入力端をＭＣＵ４１の一出力ピンに接続し、光カプラ４２の出力端を定電圧・定電流モジュール２０に接続する。具体的で言うと、定電圧・定電流モジュール２０は、制御チップＵ２を含み、光カプラ４２の出力端を制御チップＵ２に接続する。
【００１３】
出力が過電流の時、ＭＣＵ４１がＰＩＮ７リードピンを介して出力電圧を検出し、出力電圧が設定過電流値を超えると、ＭＣＵ４１のＰＩＮ１リードピンより高電圧レベル信号を出力し、光カプラ４２ＵＦによって、信号が制御チップＵ２のＶＤＤリードピンに伝送される。このとき、制御チップＵ２のＶＤＤリードピンの電圧が瞬間的に低電圧レベルに変わり、制御チップＵ２の稼働を中止すれば、定電圧・定電流モジュール２０は、ＬＥＤを保護するように、ＬＥＤへの電気供給を中止し、ＭＣＵ４１のＰＩＮ７リードピンより高電圧レベル信号を出力し、警報指示灯モジュール５０の指示灯が点滅する。
【００１４】
本考案の有益な効果は、過負荷信号検出モジュール４０の設置によって、負荷信号検出モジュール４０によりＬＥＤ負荷３０を検出し、ＬＥＤ負荷３０の入力端の電圧情報を収集し、ＭＣＵ４１が過負荷信号検出モジュール４０の検出情報に基づき、定電圧・定電流モジュール２０と、警報指示灯モジュール５０とを動作させるように制御することで、ＬＥＤの過負荷保護を実現し、ＬＥＤの使用寿命を有効に延長できることである、実用性に強く、普及化により大きい意義を有する。
【符号の説明】
【００１５】
１０  入力回路
２０  定電圧・定電流モジュール
３０  ＬＥＤ負荷
４０  過負荷信号検出モジュール
４１  ＭＣＵ
４２  光カプラ
５０  警報指示灯モジュール
【図１】
0003226486.tif 000003
【図２】
0003226486.tif 000004
【手続補正書】
【提出日】令和1年12月4日(2019.12.4)
【手続補正１】
【補正対象書類名】図面
【補正対象項目名】図１
【補正方法】変更
【補正の内容】
【図１】
0003226486.tif 000005
【手続補正２】
【補正対象書類名】図面
【補正対象項目名】図２
【補正方法】変更
【補正の内容】
【図２】
0003226486.tif 000006
【手続補正書】
【提出日】令和2年3月23日(2020.3.23)
【手続補正１】
【補正対象書類名】実用新案登録請求の範囲
【補正対象項目名】全文
【補正方法】変更
【補正の内容】
【実用新案登録請求の範囲】
【請求項１】
入力回路と、定電圧・定電流モジュールと、ＬＥＤ負荷と、過負荷信号検出モジュールと、警報指示灯モジュールとを備え、前記入力回路を前記定電圧・定電流モジュールを介して前記ＬＥＤ負荷に接続し、前記過負荷信号検出モジュールを前記ＬＥＤ負荷の入力端に接続し、前記過負荷信号検出モジュールを前記定電圧・定電流モジュールに接続し、前記警報指示灯モジュールを前記過負荷信号検出モジュールに接続し、前記過負荷信号検出モジュールが検出情報に基づき、前記定電圧・定電流モジュールの回路の通断を制御することによって、前記ＬＥＤ負荷のオンまたはオフを制御することを特徴とする過負荷保護機能付きＬＥＤ回路。
【請求項２】
前記過負荷信号検出モジュールは、ＭＣＵと、光カプラとを含み、前記ＭＣＵの一ピンを前記ＬＥＤ負荷の入力端の活線に接続し、前記光カプラの入力端部分が発光素子であり、前記光カプラの出力端部分が感光素子であり、前記光カプラの入力端を前記ＭＣＵの一出力ピンに接続し、前記光カプラの出力端を前記定電圧・定電流モジュールに接続することを特徴とする請求項１記載の過負荷保護機能付きＬＥＤ回路。
【請求項３】
前記定電圧・定電流モジュールは、制御チップを含み、前記光カプラの出力端を前記制御チップに接続することを特徴とする請求項２記載の過負荷保護機能付きＬＥＤ回路。
【手続補正２】
【補正対象書類名】明細書
【補正対象項目名】０００７
【補正方法】変更
【補正の内容】
【０００７】
定電圧・定電流モジュールは、制御チップを含み、光カプラの出力端を制御チップに接続する。
【手続補正３】
【補正対象書類名】明細書
【補正対象項目名】０００８
【補正方法】変更
【補正の内容】
【０００８】
かくして、本考案の要旨は、次の（１）〜（３）に記載の通りのものである。
（１）入力回路と、定電圧・定電流モジュールと、ＬＥＤ負荷と、過負荷信号検出モジュールと、警報指示灯モジュールとを備え、前記入力回路を前記定電圧・定電流モジュールを介して前記ＬＥＤ負荷に接続し、前記過負荷信号検出モジュールを前記ＬＥＤ負荷の入力端に接続し、前記過負荷信号検出モジュールを前記定電圧・定電流モジュールに接続し、前記警報指示灯モジュールを前記過負荷信号検出モジュールに接続し、前記過負荷信号検出モジュールが検出情報に基づき、前記定電圧・定電流モジュールの回路の通断を制御することによって、前記ＬＥＤ負荷のオンまたはオフを制御することを特徴とする過負荷保護機能付きＬＥＤ回路。
（２）前記過負荷信号検出モジュールは、ＭＣＵと、光カプラとを含み、前記ＭＣＵの一ピンを前記ＬＥＤ負荷の入力端の活線に接続し、前記光カプラの入力端部分が発光素子であり、前記光カプラの出力端部分が感光素子であり、前記光カプラの入力端を前記ＭＣＵの一出力ピンに接続し、前記光カプラの出力端を前記定電圧・定電流モジュールに接続することを特徴とする前記（１）記載の過負荷保護機能付きＬＥＤ回路。
（３）前記定電圧・定電流モジュールは、制御チップを含み、前記光カプラの出力端を前記制御チップに接続することを特徴とする前記（２）記載の過負荷保護機能付きＬＥＤ回路。